(57)【特許請求の範囲】
【請求項１】
間仕切りパネルの上部の開口部を開閉する上下式の窓本体と、前記開口部の上方に配置するラッチ部材と、該ラッチ部材に連結する操作レバーとを備えてなり、前記窓本体は、上方に押し上げて前記開口部を閉鎖することにより前記ラッチ部材を介して閉鎖状態に保持され、前記操作レバーを介して前記ラッチ部材を解除すると、間仕切りパネル内に落下して前記開口部を開放し、間仕切りパネルには、前記窓本体の下降限を規定するクッション材付きの横桟を内装することを特徴とする間仕切りパネルの窓装置。
【請求項２】
間仕切りパネルの上部の開口部を開閉する上下式の窓本体と、前記開口部の上方に配置するラッチ部材と、該ラッチ部材に連結する操作レバーとを備えてなり、前記窓本体の上端には、前記ラッチ部材に自動係合するフック部材を上向きに突設し、前記窓本体は、上方に押し上げて前記開口部を閉鎖することにより前記ラッチ部材を介して閉鎖状態に保持され、前記操作レバーを介して前記ラッチ部材を解除すると、間仕切りパネル内に落下して前記開口部を開放することを特徴とする間仕切りパネルの窓装置。
【請求項３】
間仕切りパネルの上部の開口部を開閉する上下式の窓本体と、前記開口部の上方に配置するラッチ部材と、該ラッチ部材に連結する操作レバーとを備えてなり、前記ラッチ部材は、下向きチャンネル状の収納部材に収納して前記開口部の上縁の上枠材に固定し、前記窓本体は、上方に押し上げて前記開口部を閉鎖することにより前記ラッチ部材を介して閉鎖状態に保持され、前記操作レバーを介して前記ラッチ部材を解除すると、間仕切りパネル内に落下して前記開口部を開放することを特徴とする間仕切りパネルの窓装置。
【請求項４】
前記窓本体の上端には、押上げ操作用の操作部材を付設し、該操作部材の上面には、前記収納部材の一方のフランジの下端に当接するシール材を付設することを特徴とする請求項３記載の間仕切りパネルの窓装置。
【請求項５】
間仕切りパネルの上部の開口部を開閉する上下式の窓本体と、前記開口部の上方に配置するラッチ部材と、該ラッチ部材に連結する操作レバーとを備えてなり、間仕切りパネルは、建築物の内部空間を床から天井までの高さで仕切り、前記操作レバーは、床から手動操作し易い高さにして間仕切りパネルに組み込むとともに、間仕切りパネル内に張り渡すワイヤを介して前記ラッチ部材に連結し、前記窓本体は、上方に押し上げて前記開口部を閉鎖することにより前記ラッチ部材を介して閉鎖状態に保持され、前記操作レバーを介して前記ラッチ部材を解除すると、間仕切りパネル内に落下して前記開口部を開放することを特徴とする間仕切りパネルの窓装置。
【発明の詳細な説明】
【技術分野】
【０００１】
この発明は、建築物の内部空間を仕切る間仕切りパネルにおいて、火災などの非常時の排煙用に特に好適な間仕切りパネルの窓装置に関する。
【背景技術】
【０００２】
建築物の内部空間を仕切る間仕切りパネルは、床から天井にまで及ぶ高さにすることにより、たとえば学校の教室などの用途にも広く適用することができる。
【０００３】
これらの間仕切りパネルには、採光用、換気用などのために窓を組み込むことがあり、引違い形のガラス窓や、回転形、嵌殺し形などのガラス窓が多用されている（たとえば特許文献１、２）。
【特許文献１】特開２０００−３０３５９５号公報
【特許文献２】特開２００５−１５５２２３号公報
【発明の開示】
【発明が解決しようとする課題】
【０００４】
かかる従来技術によるときは、嵌殺し形のガラス窓は、本質的に開放不能であり、引違い形、回転形のガラス窓は、必要に応じて開放可能であるものの、開放操作に過大な時間を要しがちであり、迅速な開放操作を必要とする非常時の排煙用として必ずしも適切ではないという問題があった。
【０００５】
そこで、この発明の目的は、かかる従来技術の実情に鑑み、上下式の窓本体を使用することによって、十分迅速な開放操作が可能であり、間仕切りとしての意匠性にも優れた間仕切りパネルの窓装置を提供することにある。
【課題を解決するための手段】
【０００６】
かかる目的を達成するための請求項１の発明の構成は、間仕切りパネルの上部の開口部を開閉する上下式の窓本体と、開口部の上方に配置するラッチ部材と、ラッチ部材に連結する操作レバーとを備えてなり、窓本体は、上方に押し上げて開口部を閉鎖することによりラッチ部材を介して閉鎖状態に保持され、操作レバーを介してラッチ部材を解除すると、間仕切りパネル内に落下して開口部を開放し、間仕切りパネルには、窓本体の下降限を規定するクッション材付きの横桟を内装することをその要旨とする。
【０００７】
請求項２の発明の構成は、間仕切りパネルの上部の開口部を開閉する上下式の窓本体と、開口部の上方に配置するラッチ部材と、ラッチ部材に連結する操作レバーとを備えてなり、窓本体の上端には、ラッチ部材に自動係合するフック部材を上向きに突設し、窓本体は、上方に押し上げて開口部を閉鎖することによりラッチ部材を介して閉鎖状態に保持され、操作レバーを介してラッチ部材を解除すると、間仕切りパネル内に落下して開口部を開放することをその要旨とする。また、請求項３の発明の構成は、間仕切りパネルの上部の開口部を開閉する上下式の窓本体と、開口部の上方に配置するラッチ部材と、ラッチ部材に連結する操作レバーとを備えてなり、ラッチ部材は、下向きチャンネル状の収納部材に収納して開口部の上縁の上枠材に固定し、窓本体は、上方に押し上げて開口部を閉鎖することによりラッチ部材を介して閉鎖状態に保持され、操作レバーを介してラッチ部材を解除すると、間仕切りパネル内に落下して開口部を開放することをその要旨とし、窓本体の上端には、押上げ操作用の操作部材を付設し、操作部材の上面には、収納部材の一方のフランジの下端に当接するシール材を付設してもよい。
【０００８】
請求項５の発明の構成は、間仕切りパネルの上部の開口部を開閉する上下式の窓本体と、開口部の上方に配置するラッチ部材と、ラッチ部材に連結する操作レバーとを備えてなり、間仕切りパネルは、建築物の内部空間を床から天井までの高さで仕切り、操作レバーは、床から手動操作し易い高さにして間仕切りパネルに組み込むとともに、間仕切りパネル内に張り渡すワイヤを介してラッチ部材に連結し、窓本体は、上方に押し上げて開口部を閉鎖することによりラッチ部材を介して閉鎖状態に保持され、操作レバーを介してラッチ部材を解除すると、間仕切りパネル内に落下して開口部を開放することをその要旨とする。
【発明の効果】
【０００９】
かかる発明の構成によるときは、ラッチ部材を介して閉鎖状態に保持されている窓本体は、操作レバーを介してラッチ部材を解除すると、重力により間仕切りパネル内に自然落下して開口部を全開に開放することができ、一挙動により迅速に開放操作することができる。なお、間仕切りパネルは、建築物の内部空間を床から天井まで仕切ることができる高さを有するものとし、たとえば連結用のポールを介して複数枚を連設することにより、任意の長さに組み立てることができる。また、開口部は、間仕切りパネルの上部、すなわち天井に近い部分に十分大きく開口させるものとし、ラッチ部材を操作する操作レバーは、たとえば床から１４００mm以下の手動操作し易い高さにして間仕切りパネルに組み込み、間仕切りパネル内に張り渡すワイヤを介してラッチ部材に連結する。
【００１０】
窓本体の下降限は、間仕切りパネルに内装する横桟によって規定され、横桟に付設するクッション材は、窓本体の落下に伴う衝撃を吸収し、過大な衝撃音や振動音の発生を防止する。なお、窓本体の左右両端面には、それぞれ窓本体の幅方向と平行な縦方向のガイドローラ、幅方向に垂直な横方向のガイドローラを付設し、これらのガイドローラをガイドする垂直方向のガイドレールを間仕切りパネルに内装することにより、昇降ストロークの全長に亘り、窓本体を円滑に昇降させることができる。
【００１１】
窓本体の上端に付設するフック部材は、窓本体を押し上げて閉鎖状態にすると、ラッチ部材に自動的に係合し、ラッチ部材を介して窓本体を閉鎖状態に保持することができる。
【００１２】
ラッチ部材は、下向きチャンネル状の収納部材に収納して開口部の上縁の上枠材に固定することにより、収納部材によって隠蔽され、窓本体を下降させて開口部を開放しても外部から見えることがない。なお、窓本体を押し上げて閉鎖状態にすると、窓本体側のフック部材も、収納部材に進入してラッチ部材に係合し、外部から見えることがない。ただし、収納部材は、開口部の横幅以上の長さに形成するものとする。
【００１３】
窓本体の上端に付設する操作部材は、窓本体を押し上げて開口部を閉鎖する際に、手指を掛ける着力点として使用する。また、操作部材の上面のシール材は、収納部材の一方のフランジの下端に当接して窓本体の上昇限を規定し、収納部材とともに窓本体による開口部の閉鎖状態を完成する。なお、操作部材、シール材を開口部の横幅とほぼ同一長さとし、収納部材は、シール材が当接する側のフランジを他方のフランジより短く形成して左右非対称断面のチャンネル状とし、閉鎖状態の窓本体の上端を長い方のフランジの下端より高く位置決めすることにより、閉鎖状態の全体外観を一層端正に仕上げることができる。
【発明を実施するための最良の形態】
【００１４】
以下、図面を以って発明の実施の形態を説明する。
【００１５】
間仕切りパネルの窓装置は、間仕切りパネル１０の上部の開口部Ｗを開閉する上下式の窓本体２０を備えてなる（図１、図２）。ただし、図１、図２の窓本体２０は、上方に押し上げて開口部Ｗを全閉する閉鎖状態に図示されている。
【００１６】
間仕切りパネル１０は、建築物の内部空間を図示しない床から天井Ｃまでの高さで仕切るものとし、左右のポール１０ａ、１０ａ、天井レール１０ｂ、図示しない床レールを介して所要の複数枚を連設することができる。間仕切りパネル１０の上部には、額縁状の枠材１１を介して開口部Ｗが形成されており、開口部Ｗの下側には、室内側、室外側のパネル１２、１２がポール１０ａ、１０ａに装着されている。枠材１１は、上枠材１１ａ、下枠材１１ｂ、左右の縦枠材１１ｃ、１１ｃからなり、枠材１１の内側の開口部Ｗは、高さＷ1 、横幅Ｗ2 ＞Ｗ1 の横長に形成されている。ただし、上枠材１１ａには、左右非対称断面のチャンネル状の収納部材１３が下向きに付設されており、開口部Ｗは、実質的に高さＷ3 ＜Ｗ1 となっている。なお、隣接する間仕切りパネル１０、１０の間には、ポール１０ａ上に目地１０ｃが形成され、枠材１１と各パネル１２との間にも、同形の目地１０ｃが形成されている。
【００１７】
収納部材１３には、窓本体２０の上端のフック部材２９に対応するラッチ部材３１が収納されている。また、間仕切りパネル１０の中間部には、ラッチ部材３１用の操作レバー３２が室内側に装着されており、ラッチ部材３１、操作レバー３２は、ワイヤ３３を介して連結されている。ワイヤ３３は、開口部Ｗを避けるようにして、ガイドプーリ３３ａを介して間仕切りパネル１０内に張り渡されている。操作レバー３２は、いわゆるフランス落しタイプであって、図示しない床から１４００mm以下の高さに配置されている。
【００１８】
窓本体２０は、枠材１１の左右の縦枠材１１ｃ、１１ｃの間に昇降自在に組み込まれている（図２、図３）。なお、各縦枠材１１ｃは、ライナ１１ｄを介してポール１０ａにねじ止めされている。窓本体２０は、上下左右のフレーム材２１ａ、２１ａ…の内部にペーパハニカムの芯材２１を組み込み、表面材２１ｂ、２１ｂを貼着して仕上げられている。窓本体２０の左右の側端面には、それぞれ縦方向のガイドローラ２２、横方向のガイドローラ２３、２３が装着されており、窓本体２０は、左右のガイドローラ２２、２２、２３、２３…が左右の縦枠材１１ｃ、１１ｃにガイドされて円滑に昇降することができる。なお、縦方向のガイドローラ２２は、図示に拘らず、窓本体２０の左右にそれぞれ上下一対を設けてもよい。窓本体２０の下端には、クッション材２４が付設されている。
【００１９】
間仕切りパネル１０には、窓本体２０の下降限を規定する横桟１４が内装されている（図１）。横桟１４の上面には、窓本体２０側のクッション材２４に対応するクッション材１４ａ、１４ａが付設されている。ただし、クッション材１４ａ、１４ａは、横桟１４の上面に長く連続させて設けてもよい。横桟１４の上方には、左右のガイドレール１５、１５が設けられている（図１、図４）。各ガイドレール１５は、ライナ１５ａを介してポール１０ａにねじ止めされており、各縦枠材１１ｃに連続するようにして窓本体２０のガイドローラ２２、２３、２３を上下にガイドすることができる。なお、図１、図４には、室内側、室外側のパネル１２、１２をポール１０ａ、１０ａに取り付けるためのフック爪１２ａ、１２ａが併せて図示されている。
【００２０】
窓本体２０は、縦枠材１１ｃ、１１ｃ、ガイドレール１５、１５、ガイドローラ２２、２２、２３、２３…を介してパネル１２、１２の間に落下させることにより、開口部Ｗを全開に開放することができる（図５、図６）。窓本体２０の下端は、クッション材２４、１４ａ、１４ａを介して横桟１４上に着地し、窓本体２０の上端のフレーム材２１ａに付設する押上げ操作用の操作部材２５と、フック部材２９とが開口部Ｗに突出する。ただし、窓本体２０の上端のフレーム材２１ａは、室内側のフランジが室外側のフランジより長い左右非対称断面のチャンネル状に形成され、操作部材２５は、室内側のフランジを越えて室内側に突出するようにしてフレーム材２１ａに付設されている。操作部材２５は、開口部Ｗの横幅Ｗ2 とほぼ同一長さに形成され、操作部材２５の上面には、クッション性のシール材２５ａが付設されている。
【００２１】
図６において、横桟１４は、一対のチャンネル材を抱き合わせるように組み合わせて角筒状に構成されている。また、横桟１４の両端は、それぞれＬ字状の取付金具１４ｂを介してポール１０ａにねじ止めされている。
【００２２】
フック部材２９は、窓本体２０の上端のフレーム材２１ａ上に上向きに突設されている（図２、図５）。フック部材２９は、フレーム材２１ａにねじ止めするブラケット２９ｂに対し、前後２枚の上向きのフック２９ａ、２９ａを左右に揺動可能に装着して構成されている（図７、図８）。ただし、フック２９ａ、２９ａの基部は、ブラケット２９ｂ内において一体に連結されており、図７には、フック２９ａの１枚のみが図示されている。フック２９ａ、２９ａは、軸２９ｄを介してブラケット２９ｂ内に揺動可能に組み込まれており、軸２９ｄ上のねじりばね２９ｃを介して図７の矢印Ｋ1 方向に付勢され、フリー状態においてほぼ垂直姿勢に保持されている（図５）。
【００２３】
一方、フック部材２９に対応するラッチ部材３１は、収納部材１３の天面にねじ止めするブラケット３１ａと、ブラケット３１ａの下端部に水平移動自在に装着するスライダ３１ｂとを備えている（図２、図７）。スライダ３１ｂは、下向きチャンネル状に形成され（図７、図８）、ブラケット３１ａの下端の上向きの水平チャンネル内に摺動自在に収納されている。スライダ３１ｂの左右のスライドストロークは、ブラケット３１ａに形成する長孔３１ｃの範囲に規制されている。スライダ３１ｂの後端には、ロッド３１ｄが連結され、スライダ３１ｂは、ロッド３１ｄに装着するコイルばね３１ｅを介してフック２９ａ、２９ａに向けて付勢されている（図７の矢印Ｋ2 方向）。なお、ブラケット３１ａのフック２９ａ、２９ａ側には、スライダ３１ｂ上を横切り、スライダ３１ｂの外れを防止する規制部３１ｆが形成されている。
【００２４】
スライダ３１ｂのロッド３１ｄには、ワイヤ３３の一端が連結され、ワイヤ３３の他端は、ガイドプーリ３３ａを介して操作レバー３２に連結されている（図１、図７）。ガイドプーリ３３ａは、ポール１０ａにねじ止めするブラケット３３ｂを介して回転自在に保持されており、ガイドプーリ３３ａには、ワイヤガイド３３ｃが付設されている。また、収納部材１３の両端は、それぞれ取付金具１３ａを介してポール１０ａに固定されている。ポール１０ａの上端には、天井レール１０ｂに差し込む補助材１０ｄが挿着されている。
【００２５】
操作レバー３２は、室内側のパネル１２上に固定されている（図１、図９）。そこで、上のガイドプーリ３３ａから垂下するワイヤ３３は、別のガイドプーリ３３ｄを介して操作レバー３２の可動ロッド３２ａに連結されている。ガイドプーリ３３ｄは、ブラケット３３ｅを介してポール１０ａに取り付けられており、ガイドプーリ３３ｄには、ワイヤガイド３３ｆが付設されている。なお、横桟１４には、ワイヤ３３が上下に通過する図示しない切欠きが形成されている。
【００２６】
図５、図６のように、間仕切りパネル１０内に落下して開口部Ｗを開放している窓本体２０は、室内側に突出する操作部材２５の下面に手指を掛けて上方に押し上げることにより、開口部Ｗを全閉に閉じることができる（図１、図２）。窓本体２０の上昇限は、操作部材２５の上面のシール材２５ａが収納部材１３の室内側の短いフランジの下端に当接することによって規定され、このとき、窓本体２０の上端のフレーム材２１ａは、室外側の短いフランジの上端が収納部材１３の室外側の長いフランジの下端より高く位置決めされる。
【００２７】
一方、ラッチ部材３１のスライダ３１ｂは、操作レバー３２を下向きに揺動させて可動ロッド３２ａを上昇させることにより、コイルばね３１ｅを介してフック部材２９のフック２９ａ、２９ａ側に突出する（図７）。そこで、窓本体２０を閉鎖状態に押し上げると、ねじりばね２９ｃを介してスライダ３１ｂに向けて付勢されているフック２９ａ、２９ａは、スライダ３１ｂの先端に自動係合し、窓本体２０は、ラッチ部材３１、フック部材２９を介して閉鎖状態に保持することができる。また、このようにして窓本体２０を閉鎖状態に保持すると、ラッチ部材３１、フック部材２９は、いずれも収納部材１３内に収納され、外部から見えることがない。
【００２８】
閉鎖状態の窓本体２０を開放するときは、操作レバー３２を手動操作してラッチ部材３１を解除方向に駆動する。すなわち、操作レバー３２を上向きに揺動させてワイヤ３３を下向きに引き下げ、ラッチ部材３１のスライダ３１ｂを図７の矢印Ｋ2 方向と逆方向に駆動すると、スライダ３１ｂとフック２９ａ、２９ａとの係合が外れ、窓本体２０がパネル１２、１２の間に落下して開口部Ｗを全開に開くことができる。なお、下枠材１１ｂには、窓本体２０の左右のフレーム材２１ａ、２１ａの片面に対応するようにして耐摩耗性のクッション材１１ｆ、１１ｆが付設されており（図２、図３）、クッション材１１ｆ、１１ｆは、クッション材１４ａ、１４ａ、２４と相俟って、窓本体２０の落下に伴う衝撃音や振動音の発生を抑えることができる。
【００２９】
以上の説明において、図２、図３、図６、図９の室内側、室外側の表示は、互いに入れ替えてもよいものとする。たとえば、窓本体２０の操作部材２５は、室内側でなく、室外側に突出させてもよく、上端のフレーム材２１ａ、収納部材１３の形状、操作レバー３２の配置位置なども、これに合わせて変更してもよい。また、窓本体２０には、採光用のガラスまたはプラスチック板を嵌め殺しにして装着してもよい。
【図面の簡単な説明】
【００３０】
【図１】全体構成正面図（１）
【図２】要部縦断面図（１）
【図３】要部横断面図（１）
【図４】要部横断面図（２）
【図５】全体構成正面図（２）
【図６】要部縦断面図（２）
【図７】要部拡大正面図
【図８】図２の要部拡大相当図
【図９】要部縦断面図（３）
【符号の説明】
【００３１】
Ｗ…開口部
１０…間仕切りパネル
１１ａ…上枠材
１３…収納部材
１４…横桟
１４ａ…クッション材
２０…窓本体
２５…操作部材
２５ａ…シール材
２９…フック部材
３１…ラッチ部材
３２…操作レバー
特許出願人          小松ウオール工業株式会社
代理人  弁理士                松  田  忠  秋
【図１】
0005102560.tif 000002
【図２】
0005102560.tif 000003
【図３】
0005102560.tif 000004
【図４】
0005102560.tif 000005
【図５】
0005102560.tif 000006
【図６】
0005102560.tif 000007
【図７】
0005102560.tif 000008
【図８】
0005102560.tif 000009
【図９】
0005102560.tif 000010